【事件の表示】
　平成５年特許願第２７７３９４号「媒体記録再生装置」拒絶査定不服審判事件〔平成７年４月２５日出願公開、特開平７−１１１０２２〕について、次のとおり審決する。
【結　論】
　本件審判の請求は、成り立たない。
【理　由】
　
１．手続の経緯、本願発明
　本願は、平成５年１０月１２日の特許出願であって、その請求項１から５に係る発明は、平成１１年４月２日付けで手続補正が提出された明細書の、特許請求の範囲の請求項１から５に記載されたとおりと認められるところ、請求項１に係る発明（以下、「本願発明」という）は、次のとおりのものである。
「【請求項１】　複数の記録媒体を収納する複数の収納領域と、
　記録媒体を排出させる搬送手段と、
　記録媒体に対する排出指令を入力する操作手段と、
　前記排出指令に応じて、該装置内に存在する記録媒体を所定順序にて排出させる制御手段とを有することを特徴とする媒体記録再生装置。」
　
　
２．引用例
　これに対し、原査定の拒絶の理由で引用された、本願出願前に頒布された刊行物である、特開平４−３８６６８号公報（以下、「引用例」という）には、図面とともに次の技術事項が記載されている。
（ａ）
「（１）メカニズム説明
  第１図は本発明装置のメカニズムを概略的に示したもので、トレイ７はディスク載置部を備えたシングルプレイ用のキャリッジＳが図面左側からスロット内（図示しない）に挿入されており、キャリッジＳ上のディスクをスタンバイ可能なロード位置に持ち来されている。
  光学ヘッドベース11はディスク載置台８が取付けられたスピンドルモータ９とディスクに記録された情報を読み取るべくアクセス方向に移動可能な光学ヘッド10とを載置し、キャリッジＳ上のディスクを持ち上げマグネットクランパ12によってクランプするアップ位置に持ち来されている。
  トレイ７の下方に固定的に配置されたディスクセンサー13はトレイ１及びキャリッジＳ（全てのキャリッジに形成されている）に形成された開口（図示しない）を通して、キャリッジ上のディスク有無を検出する為ものである。
  一方、従来のマガジンに相当するストッカ14は装置内部に上下移動可能に設けられ、同図において最上端のスロット15にシングルプレイ用のキャリッジＳを図面右側から挿脱可能な位置Ｓにあり、残るスロット16〜21に夫々チェンジャープレイ用のキャリッジ１〜６が挿入されている。
  トレイ／キャリッジ移動メカ22はトレイモータ23を駆動源とし、トレイ７及びトレイ７に挿入されたキャリッジ上のディスクをスタンバイ可能なロード位置（第２図（Ａ））とフロントパネル24から突出し、キャリッジ上にディスクを載置可能なイジェクト位置（第２図（Ｂ））との間で移動させ、また、キャリッジのみ更にロード位置とストッカ14のスロットに挿入するストア位置（第２図（Ｃ））との間で移動させることができる。」（３頁右上欄第４行〜左下欄第１８行）
　
（ｂ）
「次に、装置内に収納されたキャリッジ１〜６上のディスクを全て取り出すべく、イジェクトスイッチ４２が操作された時の動作を説明する。なお、第２９図（Ａ）に示されるように、キャリッジ１がロード位置に持ち来され、キャリッジ１上のディスクＤがスタンバイされている。
　イジェクト／ロードスイッチ４２が操作されると、マイコン４０は第９図（Ａ）に示される停止状態におけるフローチャートをステップＳ２，サブルーチンＬ１と進み、サブルーチンＬ１で光学ヘッドベース１１をダウン位置に移動させ（第２９図（Ｂ））、サブルーチンＬ５でトレイ７のロックを解除し（図示されない）、サブルーチンＬ２でディスクＤが載置されたキャリッジ１をイジェクト位置に移動させる（第２９図（Ｃ））。
　キャリッジ１上からディスクＤが取り出され（第２９図（Ｄ））、再びイジェクト／ロードスイッチ４２が操作されると、第１８図（Ｂ）に示されるイジェクト状態におけるフローチャートをステップＳ１５１、サブルーチンＬ１０と進み、トレイ７及びキャリッジ１を区間Ｓ２（第６図）で移動速度の減速処理を行いつつロード位置に移動させる（第２９図（Ｅ））。
　マイコン４０はステップＳ２１０，Ｓ２１１と進み、Ｄ１を０とメモリし、ステップＳ２１２，サブルーチンＬ２と進み、キャリッジ１をストア位置に移動させる（第２９図（Ｆ））。
　そして、マイコン４０はステップＳ２１３、Ｓ２１４と進み、ｎが２でステップＳ２１４がＹＥＳとなり、サブルーチンＬ３でストッカ１４を位置２に（第２９図（Ｇ））、サブルーチンＬ４でキャリッジ２をロード位置に（第２９図（Ｈ））、また、サブルーチンＬ７で光学ヘッドベース１１をアップ位置に移動させ、キャリッジ２上のディスクＤをスタンバイする（第２９図（Ｉ））。
　以下、上述同様にして、イジェクト／ロードスイッチ４２が操作されることによってディスクが載置されたキャリッジがイジェクト位置に移動され、ディスクが取り出される。
　そして、最後のキャリッジ６上のディスクＤがスタンバイされた状態（第２９図（Ｊ））で、イジェクト／ロードスイッチ４２が操作されると、マイコン４０は第９図（Ａ）に示される停止状態におけるフローチャートをステップＳ２、サプルーチンL1と進み、サブルーチンＬ１で光学ヘッドベース１１をダウン位置に移動させ(第29図(K))、サブルーチンＬ５でトレイ7のロックを解除し(図示されない)、サブルーチンＬ２でディスクＤが載置されたキャリッジ６をイジェクト位置に移動させる(第29図(L))。
　イジェクト位置に移動させたキャリッジ1上からディスクDが取り出され(第29図(M))、再びイジェクト／ロードスイッチ42が操作されると、第18図(B)に示されるイジェクト状態におけるフローチャートをステップＳ１５１、サブルーチンL1Oと進み、トレイ7及びキャリッジ１を区間Ｓ２(第6図)で移動速度の減速処理を行われつつロード位置に移動させる（第29図(N))。
　マイコン40はステップS210、S211と進み、Ｄ６を０とメモリし、ステップＳ２１２、サブルーチンＬ２と進み、キャリッジ6 をストア位置に移動させる(第29図(F))。
　そして,マイコン40はスデップS213、S214と進み、ｎ＝７でステップS216がYESとなり、サブルーチンＬ８でストッカ14を位置Ｓに(第29図(P))、サブルーチンＬ４でキャリッジSをロード位置に(第29図(Q))、そして、サブルーチンL7で光学ヘッドベース11をアップ位置に移動させ(第29図(R))、停止状態におけるフローチャート(第9図)に進み、操作スイッチの入力持ちとなる。」（１７頁左上欄第８行〜右下欄第１９行）
　
　上記記載事項及び図面の記載を総合勘案すると、上記引用例には、結局、次の発明が記載されている（以下、「引用発明」という）。
「装置内部に上下移動可能に設けられ、（第１図において）最上端のスロット15にシングルプレイ用のキャリッジＳを図面右側から挿脱可能な位置Ｓにあり、残るスロット16〜21に夫々チェンジャープレイ用のキャリッジ１〜６が挿入されている、従来のマガジンに相当するストッカ14と、
トレイモータ23を駆動源とし、トレイ７及びトレイ７に挿入されたキャリッジ上のディスクをスタンバイ可能なロード位置（第２図（Ａ））とフロントパネル24から突出し、キャリッジ上にディスクを載置可能なイジェクト位置（第２図（Ｂ））との間で移動させ、また、キャリッジのみ更にロード位置とストッカ14のスロットに挿入するストア位置（第２図（Ｃ））との間で移動させる、トレイ／キャリッジ移動メカ22と、
イジェクト／ロードスイッチ４２と、
イジェクト／ロードスイッチ４２が操作されると、ディスクＤが載置されたキャリッジ１をイジェクト位置に移動させ、キャリッジ１からディスクＤが取り出され、再びイジェクト／ロードスイッチ４２が操作されると、キャリッジ２上のディスク２をスタンバイし、以下同様にキャリッジ１から６上のディスクを全て取り出すように制御するマイコンと、
を備えたチェンジャー型ディスク再生装置」
　
　
３．対　比
　本願発明と引用発明とを対比する。
　引用発明における「スロット16〜21に夫々チェンジャープレイ用のキャリッジ１〜６が挿入されている・・・ストッカ14」は、本願発明における「複数の記録媒体を収納する複数の収納領域」に相当する。
　引用発明における「トレイ７」、「トレイモータ」及び同モータを駆動源とする「トレイ／キャリッジ移動メカ22」は、少なくともトレイに挿入されたキャリッジ及びキャリッジ上のディスクをイジェクト位置に移動させることができるものであるから、その限りにおいて、本願発明における「記録媒体を排出させる搬送手段」に相当する。
　引用発明における「イジェクト／ロードスイッチ４２」は、同スイッチの操作に基づいてイジェクト動作が行われるものであるから明らかに本願発明における「記録媒体に対する排出指令を入力する操作手段」に相当する。
　引用発明におけるイジェクト／ロードスイッチ４２は、その操作を繰り返すことで、特にキャリッジの番号等を指定することなく、キャリッジ１のディスクからキャリッジ６のディスクまでをその順序でイジェクトすることができるものである。また、本願発明において「排出指令」がただ一回に限定されるとの要件が含まれているわけでもない。すると引用発明における「イジェクト／ロードスイッチ４２が操作されると、ディスクＤが載置されたキャリッジ１をイジェクト位置に移動させ、キャリッジ１からディスクＤが取り出され、再びイジェクト／ロードスイッチ４２が操作されると、キャリッジ２上のディスク２をスタンバイし、以下同様にキャリッジ１から６上のディスクを全て取り出すように制御するマイコン」は、本願発明の「前記排出指令に応じて、該装置内に存在する記録媒体を所定順序にて排出させる制御手段」に相当する。
　引用発明における「チェンジャー型ディスク再生装置」は、「記録媒体」の「再生装置」である点に限って本願発明と共通している。
　
　そうすると、本願発明と引用発明とは次の点で一致する。
　一致点
「複数の記録媒体を収納する複数の収納領域と、
　記録媒体を排出させる搬送手段と、
　記録媒体に対する排出指令を入力する操作手段と、
　前記排出指令に応じて、該装置内に存在する記録媒体を所定順序にて排出させる制御手段とを有することを特徴とする媒体再生装置。」
　
　一方、次の点で相違する。
　相違点
　本願発明においては、媒体の「記録再生装置」であるのに対し、引用発明においては、ディスクに記録可能とすることについては特に開示がない点。
　
　
４．判　断
　そこで、上記相違点について検討する。
　記録可能な媒体は本件出願当時すでに周知の事項であり（たとえば特開平２−８７３３９号公報、特開平５−５４４３２号公報）、このような記録可能媒体を用いて記録再生装置を構成することも、例えば特開平５−２２５６７５号公報、実願平３−６２３８１号（実開平５−１５１５５号）のＣＤ−ＲＯＭ等にて周知の事項であった。
　すると、これらの周知の事項を参酌することで引用発明を「記録再生装置」とすることは、当業者が容易に想到しうるものであり、その作用効果も当業者が予測しうるものにすぎない。
　
　
５．むすび
　以上のとおり、本願の請求項１に係る発明は、引用例に記載された発明に基づいて、当業者が容易に発明をすることができたものであるから、特許法第２９条第２項の規定により特許を受けることができない。
　したがって、本願はその余の請求項について論及するまでもなく、拒絶すべきものである。
　
　よって、結論のとおり審決する。